(57)【要約】【課題】簡単な構成で、安定した接触抵抗値を得るようにしたガス絶縁開閉装置を提供するものである。【解決手段】遮断器の両端に設けられた充電部を絶縁支持する絶縁支持筒内に収納・配置された一対の接地開閉器を備えたガス絶縁開閉装置において、各接地開閉器を、上記遮断器の充電部で形成される固定コンタクトと、上記固定コンタクトと対向して配設される接地ブッシング内に埋設されるとともに中心部に上記固定コンタクトと離反する方向に延びる摺動穴が穿設された接地導体と、一端に上記接地導体の摺動穴と嵌合して摺動する球状の摺動接触部および他端に上記摺動接触部が上記摺動穴との嵌合を維持した状態で上記固定コンタクトと接触可能な球状の接触部を有する可動コンタクトと、上記可動コンタクト部に上記接地開閉器動作後の投入状態において固定コンタクトとの接触圧力を安定化させる圧力中継手段とにより構成したものである。【選択図】        図１
2005012893.tif 000002
【特許請求の範囲】
【請求項１】
遮断器、この遮断器の両端に設けられた充電部、この充電部を絶縁支持する絶縁支持筒内に収納・配置された一対の接地開閉器を備えたガス絶縁開閉装置において、上記接地開閉器は、上記遮断器の充電部で形成される固定コンタクトと、上記固定コンタクトと対向して配設される接地ブッシング内に埋設されるとともに中心部に上記固定コンタクトと離反する方向に延びる摺動穴が穿設された接地導体と、一端に上記接地導体の摺動穴と嵌合して摺動する摺動接触部および他端に上記摺動接触部が上記摺動穴との嵌合を維持した状態で上記固定コンタクトと接触可能な球状の接触部を有する可動コンタクトと、上記可動コンタクト部に上記接地開閉器動作後の投入状態において固定コンタクトとの接触圧力を安定化させる圧力中継手段とを備えたことを特徴とするガス絶縁開閉装置。
【請求項２】
請求項１において、圧力中継手段は、上記可動コンタクトの駆動レバーに枢支され、可動コンタクトの外周を取り囲むように配設された中継金具と、上記中継金具内に収納され、上記投入状態において可動コンタクトに対して接触圧力を付加するバネとから構成したことを特徴とするガス絶縁開閉装置。
【請求項３】
請求項２において、上記可動コンタクトの一部に長円孔を設け、この長円孔を上記駆動レバーの先端部間に張架された駆動軸が貫通する構造とすると共に、上記可動コンタクトの長円孔部分に段付き部を設け、上記中継金具がこの段付き部外周を取り囲むように設けるとともに、上記バネを上記中継金具の内周と段付き部とで構成された凹部に収納するようにしたことを特徴とするガス絶縁開閉装置。
【請求項４】
請求項１または２において、上記可動コンタクトの反対端の摺動接触部を球状にするとともに軸方向に２分割し球状の接触部外径を接地ブッシングの内径よりも大きくしたことを特徴とするガス絶縁開閉装置。
【請求項５】
母線に接続される断路器およびこの断路器の母線側充電部に接続される接地開閉器を備えたガス絶縁開閉装置において、上記接地開閉器は、上記断路器の母線側充電部で形成される固定コンタクトと、上記固定コンタクトと対向して配設される接地ブッシング内に埋設されるとともに中心部に上記固定コンタクトと離反する方向に延びる摺動穴が穿設された接地導体と、一端に上記接地導体の摺動穴と嵌合して摺動する摺動接触部および他端に上記摺動接触部が上記摺動穴との嵌合を維持した状態で上記固定コンタクトと接触可能な球状の接触部を有する可動コンタクトと、上記可動コンタクト部に上記接地開閉器動作後の投入状態において固定コンタクトとの接触圧力を安定化させる圧力中継手段とを備えたことを特徴とするガス絶縁開閉装置。
【請求項６】
請求項５において、圧力中継手段は、上記可動コンタクトの駆動レバーに枢支され、可動コンタクトの外周を取り囲むように配設された中継金具と、上記中継金具内に収納され、上記投入状態において可動コンタクトに対して接触圧力を付加するバネとから構成したことを特徴とするガス絶縁開閉装置。
【請求項７】
請求項６において、上記可動コンタクトの一部に長円孔を設け、この長円孔を上記駆動レバーの先端部間に張架された駆動軸が貫通する構造とすると共に、上記可動コンタクトの長円孔部分に段付き部を設け、上記中継金具がこの段付き部外周を取り囲むように設けるとともに、上記バネを上記中継金具の内周と段付き部とで構成された凹部に収納するようにしたことを特徴とするガス絶縁開閉装置。
【請求項８】
請求項５または６において、上記可動コンタクトの反対端の摺動接触部を球状にするとともに軸方向に２分割し球状の接触部外径を接地ブッシングの内径よりも大きくしたことを特徴とするガス絶縁開閉装置。
【発明の詳細な説明】
【０００１】
【発明の属する技術分野】
この発明は、ガス絶縁開閉装置に係り、特に遮断器の保守、点検のために設置される接地開閉器の構造に関するものである。
【０００２】
【従来の技術】
ガス絶縁開閉装置はＳＦ６ガス等の絶縁ガスを接地金属容器内に圧入し、内部に設置された遮断器、断路器、接地開閉器等の電気機器を完全に絶縁するものである。
このようなガス絶縁開閉装置に適用される遮断器は、充電部が全て絶縁ガス中に密閉されているため、遮断器の両端に接地開閉器を接続して、例えば、接触抵抗の測定、絶縁抵抗の測定および遮断器の動作試験等を実施している。
【０００３】
図６は従来のガス絶縁開閉装置における遮断器周辺の構成を示す側面図である。
図において、遮断器２は操作機構３によって操作され、その両端に配設される充電部２ａ、２ａが絶縁支持筒４、４によって、それぞれ遮断器取付ベース１に絶縁支持されている。また遮断器２の両端には上記遮断器取付ベース１に充電部２ａ、２ａと対向配置された接地開閉器６、６が接続されている。
例えば、上述した接触抵抗の測定、絶縁抵抗の測定および遮断器の動作試験等を実施する場合は、遮断器２の両端に接続された断路器（図示していない）を開放して、遮断器２を電源側および負荷側から隔離した後、上記接地開閉器６，６を投入して、所定の測定、試験等を行っている。
【０００４】
図７は前述の接地開閉器６の詳細構成を示す拡大断面図である。
図において、接地開閉器６は両端充電部２ａ、２ｂの一部で形成される固定コンタクト６ａと、遮断器取付ベース１の外面に立設される支持枠６ｂと、この支持枠６ｂに取り付けられ固定コンタクト６ａと対向して配設される接地ブッシング６ｃと、この接地ブッシング６ｃ内に埋設され中心部に摺動穴６ｄ１が穿設された接地導体６ｄと、一端に摺動穴６ｄ１と嵌合して摺動する球状の摺動接触部６ｅ１が、又、多端には上記固定コンタクト６ａと接触可能な球状の接触部６ｅ２がそれぞれ形成された可動コンタクト６ｅと、三相一括連結絶縁軸７で回転駆動され、回動することにより可動コンタクト６ｅを移動させる駆動レバー６ｆとで構成されている。
（例えば、特許文献１参照）。
【０００５】
【特許文献１】
特開平８−２０５３４２号公報（第３〜４頁、図１〜図２）
【０００６】
【発明が解決しようとする課題】
従来のガス絶縁開閉装置の接地開閉器は以上のように構成され、所望の試験や測定を行うものであったが、可動コンタクト６ｅと固定コンタクト６ａの接触が球と球の点接触であるため振動などの要因による可動コンタクトの接触状態の差異により、安定した接触抵抗値が容易に得られない問題点が有った。
また、接地ブッシング６ｃの摺動穴６ｄ１の内壁と可動コンタクト６ｅの球状摺動接触部６ｅ１も点接触であり、可動コンタクトの接触状態の差異により安定した接触抵抗値が容易に得られない問題点が有った。
【０００７】
本発明は、これらの問題点を解決するためになされたもので、接地開閉器の接触部に適当な接触圧力を加えるようにすることにより、簡単な構成で、安定した接触抵抗値を得るようにしたガス絶縁開閉装置を提供するものである。
【０００８】
【課題を解決するための手段】
この発明の請求項１に係るガス絶縁開閉装置は、遮断器、この遮断器の両端に設けられた充電部、この充電部を絶縁支持する絶縁支持筒内に収納・配置された一対の接地開閉器を備えたガス絶縁開閉装置において、各接地開閉器を、上記遮断器の充電部で形成される固定コンタクトと、上記固定コンタクトと対向して配設される接地ブッシング内に埋設されるとともに中心部に上記固定コンタクトと離反する方向に延びる摺動穴が穿設された接地導体と、一端に上記接地導体の摺動穴と嵌合して摺動する球状の摺動接触部および他端に上記摺動接触部が上記摺動穴との嵌合を維持した状態で上記固定コンタクトと接触可能な球状の接触部を有する可動コンタクトと、上記可動コンタクト部に上記接地開閉器動作後の投入状態において固定コンタクトとの接触圧力を安定化させる圧力中継手段とで構成したものである。
【０００９】
また、この発明の請求項２に係るガス絶縁開閉装置は、請求項１において、圧力中継手段を、上記可動コンタクトの駆動レバーに枢支され、可動コンタクトの外周を取り囲むように配設された中継金具と、上記中継金具内に収納され、上記投入状態において可動コンタクトに対して接触圧力を付加するバネとから構成したものである。
【００１０】
また、この発明の請求項３に係るガス絶縁開閉装置は、請求項２において、上記可動コンタクトの一部に長円孔を設け、この長円孔を上記駆動レバーの先端部間に張架された駆動軸が貫通する構造とすると共に、上記可動コンタクトの長円孔部分に段付き部を設け、上記中継金具がこの段付き部外周を取り囲むように設けるとともに、上記バネを上記中継金具の内周と段付き部とで構成された凹部に収納するようにしたものである。
【００１１】
また、この発明の請求項４に係るガス絶縁開閉装置は、請求項１または２において、上記可動コンタクトの反対端の摺動接触部を球状にするとともに軸方向に２分割し、球状の接触部外径を接地ブッシングの内径よりも大きくしたものである。
【００１２】
また、この発明の請求項５に係るガス絶縁開閉装置は、母線に接続される断路器およびこの断路器の母線側充電部に接続される接地開閉器を備えたガス絶縁開閉装置において、各接地開閉器を、上記断路器の母線側充電部で形成される固定コンタクトと、上記固定コンタクトと対向して配設される接地ブッシング内に埋設されるとともに中心部に上記固定コンタクトと離反する方向に延びる摺動穴が穿設された接地導体と、一端に上記接地導体の摺動穴と嵌合して摺動する摺動接触部および他端に上記摺動接触部が上記摺動穴との嵌合を維持した状態で上記固定コンタクトと接触可能な球状の接触部を有する可動コンタクトと、上記可動コンタクト部に上記接地開閉器動作後の投入状態において固定コンタクトとの接触圧力を安定化させる圧力中継手段とで構成したものである。
【００１３】
実施の形態１．
次に本発明の実施の形態について図に従って説明する。
図１はこの発明の実施形態１における接地開閉器６の構成を示す断面図である。図２は図１における接地開閉器のＢ−Ｂ断面を示す断面図である。図３は接地開閉器６の投入状態を示す図１の対応図である。
図において、図６および図７に示したものと相当する部分には同一符号を付している。
【００１４】
接地開閉器６の配置構成は図１の従来装置と同一であり、遮断器２の両端充電部２ａ、２ａと対向して配設されている。
図１〜図３において、両端充電部２ａ、２ａの一部で形成される固定コンタクト６ａと、遮断器取付ベース１の外面に立設される支持枠６ｂと、この支持枠６ｂに取り付けられ固定コンタクト６ａと対向して配設される接地ブッシング６ｃと、この接地ブッシング６ｃ内に埋設され中心部に摺動穴６ｄ１が穿設された接地導体６ｄと、一端に摺動穴６ｄ１と嵌合して摺動する球状の摺動接触部６ｅ１が、又、他端には固定コンタクト６ａと接触可能な球状の接触部６ｅ２がそれぞれ形成された可動コンタクト６ｅと、三相一括連結絶縁軸７で回転駆動され、回動することにより可動コンタクト６ｅを移動させる駆動レバー６ｆとで構成されている。
【００１５】
駆動レバー６ｆと可動コンタクト６ｅとの結合部は、可動コンタクト６ｅの一部に長円孔６ｋを設け、この長円孔６ｋを駆動レバー６ｆ、６ｆの先端部間に張架された駆動軸６ｐが貫通する構造としている。
また、可動コンタクト６ｅの中央部すなわち上記長円孔６ｋを具備する部分に段付き部６ｅ３を設けるとともに、この段付き部６ｅ３の外周を取り囲む円筒状の中継金具６ｇを設け、この中継金具６ｇを駆動軸６ｐが貫通・支持する構造としている。
更に、上記中継金具６ｇの内周と段付き部６ｅ３とで構成された凹部にバネ６ｈが収納され、上記長円孔６ｋの長さの範囲内でその伸縮により上記可動コンタクト６ｅと固定コンタクト６ａとの接触圧力を調整する構成となっている。
【００１６】
そして、可動コンタクト６ｅは、他端接触部６ｅ２が固定コンタクト６ａに接触した状態でも、一端摺動接触部６ｅ１は摺動穴６ｄ１との嵌合を維持した状態を保ち得るような寸法関係に設定されている。
又、支持枠６ｂおよび接地ブッシング６ｃで形成される接地開閉器収納スペース（図中Ａで示す）は外気と封止され、遮断器２と同様の絶縁ガス雰囲気が形成されている。
【００１７】
次に上記のように構成される実施の形態１におけるガス絶縁開閉装置の動作について説明する。
まず、図１において、三相一括連結絶縁軸７を時計方向に回転駆動させると、駆動レバー６ｆが矢印方向に回動して中継金具６ｇとばね６ｈを介して可動コンタクト６ｅは図中一点鎖線で示すように移動し、他端接触部６ｅ２が固定コンタクト６ａに接触状態となる。
更に駆動レバー６ｆの駆動力が加わると、バネ６ｈが圧縮されると共に、可動コンタクト中央部に設けられている長円孔６ｋ内を駆動レバー６ｆの先端駆動軸６ｐが右側に移動する。
【００１８】
この結果、ばね６ｈの圧縮エネルギーにより可動コンタクト６ｅは固定コンタクト６ａへ圧力を与えることが出来る。図３はこの投入状態を示したものである。
そして、固定コンタクト６ａと可動コンタクト６ｅとは、三相一括連結絶縁軸７および接地ブッシング６ｃにより装置の容器とは完全に絶縁された状態で投入されているので、接地開閉器としての機能を十分に満足している。
【００１９】
このように上記実施の形態１によれば、接地開閉器動作後の投入状態において、可動コンタクト６ｅと駆動レバー６ｆとの間に中継金具６ｇとバネ６ｈからなる圧力中継手段を配置することにより、固定コンタクト６ａに継続的に接触圧力が付加されることにより振動や動作反発力よる接点の圧力変化に対しても安定化が可能となる。
【００２０】
実施の形態２．
図４はこの発明の他の実施形態を示すもので、図２に対応した図である。図中、図２と同一符号は同一又は相当部分を示している。
この実施形態では、可動コンタクト６ｅの反対端の摺動接触部６ｅ１を球状にするとともに軸方向に２分割し球状の接触部外径を接地ブッシング６ｃの内径よりも大きくすることにより２分割部６ｊの根元部にタワミが生じ穴に対して内側から圧力を加えることができるため接点の抵抗値の安定化を図ることが出来る。
【００２１】
実施の形態３．
上記実施の形態１および２では、接地開閉器６を遮断器２の両端に接続した場合について説明したが、図５に示すように、接地開閉器６を遮断器２と母線（図示せず）との間に接続される断路器８の充電部に適用し、断路器８の充電部の一部を固定コンタクトとし母線接地として使用しても良く、上記実施の形態１および２と同様に、接点の抵抗値の安定化を図ることが出来る。
【００２２】
【発明の効果】
以上のように、この発明によれば、遮断器の両端充電部にそれぞれ一対の接地開閉器を接続したガス絶縁開閉装置において、上記接地開閉器の可動・固定接触子間に接触圧力を加える圧力中継手段を設けることにより、振動等に対して安定した接触抵抗値を有するガス絶縁開閉装置が実現できる。
【図面の簡単な説明】
【図１】この発明の実施形態１における接地開閉器の構成を示す断面図である。
【図２】図１における接地開閉器のＢ−Ｂを詳細に示す断面図である。
【図３】図３は図１の接地開閉器の投入状態を示した図である。
【図４】この発明の実施形態２における接地開閉器の構成を示す断面図である。
【図５】この発明の実施形態３における接地開閉器の構成を示す断面図である。
【図６】従来のガス絶縁開閉装置の遮断器周辺の構成を示す側面図である。
【図７】従来の接地開閉器の構成を詳細に示す断面図である。
【符号の説明】
１  遮断器取付ベース、２  遮断器、２ａ、２ａ  充電部、３  操作機構、４絶縁支持筒、６  接地開閉器、６ａ  固定コンタクト、６ｂ  支持枠、６ｃ  接地ブッシング、６ｄ  接地導体、６ｄ１  摺動穴、６ｅ  可動コンタクト、６ｅ１  摺動接触部、６ｅ２  接触部、６ｆ  駆動レバー、６ｇ  中継金具、６ｈばね、６ｊ  ２分割部、７  三相一括連結絶縁軸、８  断路器。
【図１】
2005012893.tif 000003
【図２】
2005012893.tif 000004
【図３】
2005012893.tif 000005
【図４】
2005012893.tif 000006
【図５】
2005012893.tif 000007
【図６】
2005012893.tif 000008
【図７】
2005012893.tif 000009